(57)【特許請求の範囲】
【請求項１】
所定のネットワークを介して通信を行なうに際し、ユーザの要求する通信サービスの品質を表わす要求ＱｏＳの各パラメータの設定が可能な通信端末装置において、
該要求ＱｏＳ及びネットワークの状態に基づいてネットワーク側にて決定された決定ＱｏＳの各パラメータと、上記設定された要求ＱｏＳとを比較して両者が異なる場合に、通信を継続するか切断するかのいずれかをユーザの入力に基づいて選択する通信制御手段を有する通信端末装置。
【請求項２】
請求項１記載の通信端末装置において、
上記要求QoS及び上記決定QoSが異なる場合に、その相違を許容するか否かをユーザの意思に基づいて予め設定する許容設定手段を有し、
上記通信制御手段は、上記要求QoSと上記決定QoSとが異なる場合に、上記許容設定手段にて設定された上記相違を許容するか否かに基づいて通信を継続するか切断するかのいずれかを選択するようにした通信端末装置。
【請求項３】
請求項２記載の通信端末装置において、
上記許容設定手段は、要求QoSの各パラメータ毎にそのパラメータと決定QoSの対応するパラメータが異なる場合にその相違を許容するか否かを設定するようにし、
上記通信制御手段は、上記相違を許容しないことが設定された全てのパラメータのそれぞれが決定QoSの対応するパラメータと異なるときに通信の切断を選択するようにした通信端末装置。
【請求項４】
請求項２記載の通信端末装置において、
上記許容設定手段は、要求QoSの各パラメータ毎にそのパラメータと決定QoSの対応するパラメータが異なる場合にその相違を許容するか否かを設定するようにし、
上記通信制御手段は、上記相違を許容しないことが設定された少なくとも１つのパラメータが決定QoSの対応するパラメータと異なるときに、通信の切断を選択するようにした通信端末装置。
【請求項５】
請求項２記載の通信端末装置において、
上記許容設定手段は、要求QoSの各パラメータ毎にそのパラメータと決定QoSの対応するパラメータが異なる場合にその相違を許容するか否かを設定するようにし
上記通信制御手段は、上記相違を許容しないことが設定されたパラメータのうち特定のパラメータが決定QoSの対応するパラメータと異なるときに、通信の切断を選択するようにした通信端末装置。
【請求項６】
請求項１記載の通信端末装置において、
ネットワーク側から受信した決定QoSの各パラメータを表示する表示手段を有すると共に、
上記通信制御手段は、該表示手段にて上記決定QoSが表示された状態でなされた操作部の所定の操作に基づいて通信の継続または切断のユーザ意思を判定する判定手段を有し、該判定手段での判定結果に基づいて通信の継続するか切断するかのいずれかを選択するようにした通信端末装置。
【請求項７】
請求項１乃至６いずれか記載の通信端末装置において、
上記要求QoSの各パラメータを設定するための第一の設定モードと第二の設定モードとを有すると共に、
該第一の設定モードと第二の設定モードを操作部の所定の操作に従って選択するモード選択手段を有し、
デフォルト値に自動設定されたパラメータ以外の操作部の操作にて設定すべきパラメータの数が、第一の設定モードより第二の設定モードのほうが多くなるようにした通信端末装置。
【請求項８】
所定のネットワークを介して通信を行うに際し、ユーザの要求する通信サービスの品質を表す要求QoSの各パラメータの設定が可能な通信端末装置において、
上記要求QoSの各パラメータを設定するための第一の設定モードと第二の設定モードとを有すると共に、
該第一の設定モードと第二の設定モードを操作部の所定の操作に従って選択するモード選択手段を有し、
デフォルト値に自動設定されたパラメータ以外の操作部の操作にて設定すべきパラメータの数が、第一の設定モードより第二の設定モードのほうが多くなるようにした通信端末装置。
【請求項９】
請求項７または８記載の通信端末装置において、
上記第一の設定モードでは、要求QoSの全てのパラメータがデフォルト値に自動設定されるようにした通信端末装置。
【請求項１０】
請求項７乃至９いずれか記載の通信装置において、
上記第一の設定モードでは、要求QoSのパラメータのうち通信速度に関するパラメータが当該通信端末装置の能力最大の通信速度に自動設定されるようにした通信端末装置。
【発明の詳細な説明】
【０００１】
【発明の属する技術分野】
本発明は、移動通信端末、コンピュータ端末等、所定のネットワークを介して通信を行う通信端末装置に係り、詳しくは、所定のネットワーク側から受ける通信サービスの品質を表すQoS（Quality of Service）のパラメータの設定が可能な通信端末装置に関する。
【０００２】
【従来の技術】
インターネットなどのパケット通信網を介してマルチメディア情報等の通信を行う通信システムが実現されている。このような通信システムにおいて、そのパケット通信網（ネットワーク）内のサーバと通信を行う際にその受ける通信サービスの品質を表すQoSのパラメータ（最大ビットレート、パケット誤り率など）を設定することができる通信端末装置（移動通信端末、コンピュータ端末等）が提案されている。このような通信端末装置では、伝送されるべき情報の種類（静止画像、動画像、テキスト等）や通信コストなどに応じてユーザが希望するQoSのパラメータの設定操作を行う。そして、このユーザによる設定操作によって設定されたQoSの各パラメータが要求QoSとして当該通信端末装置からネットワーク内のサーバに送信される。
【０００３】
このような要求QoSを受信したサーバは、その要求QoSとネットワークの状態等に基づいて当該通信端末装置との通信に適用されるQoSの各パラメータを決定し、その決定されたQoSの各パラメータ（以下、決定QoSという）を当該通信端末装置に通知する。以後、当該通信端末装置は、決定QoSに従ってネットワーク内のサーバと通信を行い、その決定QoSに従った通信サービスをネットワーク側から受けることになる。
【０００４】
【発明が解決しようとする課題】
上記のようにユーザの希望する要求QoSの設定が可能な通信端末装置では、ネットワーク側で決定された決定QoSが要求QoSと異なる場合がある。このような場合、例えば、ネットワーク側から情報を得ることを優先させて、ネットワーク側で決定された決定QoS情報に従って通信を継続させることができる。
【０００５】
しかし、要求QoSが決定QoSと異なる場合は、一般にその決定QoSは要求QoSに比べて品質（転送レート、誤り率など）の低い通信サービスを表す。自分の希望する品質より低い品質の通信サービスであれば、その通信を希望しないユーザもおり、そのようなユーザにとっては、決定QoSに従って通信を継続することは、その希望に反するものである。
【０００６】
そこで、上記のように決定QoSが要求QoSと異なった場合、例えば、ユーザの要求を優先させて、通信を切断させることもできる。しかし、多少品質が低下してもネットワーク側から情報を得ることを優先させたいユーザもおり、このようなユーザにとっては、通信を切断することは、その希望に反することである。
【０００７】
また、携帯電話などの操作部、表示部が比較的小さい通信端末装置では、要求QoSの簡易な設定操作が要望される。このような要望にそうために、QoSの各パラメータの値をデフォルトとして予め設定しておくことが有効である。しかし、デフォルト値として予め設定しておくQoSのパラメータの数が多くなると、設定される要求QoSがユーザの希望に合わなくなる場合が生ずる。
【０００８】
そこで、本発明の課題は、ユーザの希望にできるだけ合った品質での通信サービスを受けることができるようにした通信端末装置を提供することである。
【０００９】
【課題を解決するための手段】
上記課題を解決するため、本発明は、請求項１に記載されるように、所定のネットワークを介して通信を行うに際し、ユーザの要求する通信サービスの品質を表す要求QoSの各パラメータの設定が可能な通信端末装置において、該要求QoS及びネットワークの状態に基いてネットワーク側にて決定された決定QoSと上記設定された要求QoSとが異なる場合に、通信を継続するか切断するかのいずれかをユーザの意思に基づいて選択する通信制御手段を有するように構成される。
【００１０】
このような通信端末装置では、通信端末装置にて設定された要求QoSとネットワーク側にて決定された決定QoSが異なる場合に、ユーザの意思に基づいて通信の継続または切断が選択される。通信の継続が選択された場合には、ネットワーク側にて決定された上記決定QoSに従って通信が継続される。従って、要求QoSと決定QoSとが異なる場合に、例えば、ネットワーク側から情報を得ることを優先させたいユーザに対しては通信を継続させることができ、また、あくまでも要求QoSでの通信を希望するユーザに対しては通信を切断することができる。
【００１１】
決定QoSをネットワーク側から取得する前にユーザの意思を確認することができるという観点から、本発明は、請求項２に記載されるように、上記通信端末装置において、上記要求QoS及び上記決定QoSが異なる場合に、その相違を許容するか否かをユーザの意思に基づいて予め設定する許容設定手段を有し、上記通信制御手段は、上記要求QoSと上記決定QoSとが異なる場合に、上記許容設定手段にて設定された上記相違を許容するか否かに基づいて通信を継続するか切断するかのいずれかを選択するように構成することができる。
【００１２】
この場合、要求QoSを設定した後ネットワーク側から決定QoSを取得した際に、直ちにその決定QoSに従った通信の継続または切断の選択を行うことができる。
【００１３】
上記許容設定手段は、ユーザがその意思に基づいて操作する操作部からの操作入力に基づいて当該相違を許容するか否かの設定を行うことができる。
【００１４】
通信の継続または切断の具体的な条件を提供するという観点から、本発明は、請求項３に記載されるように、上記通信端末装置において、上記許容設定手段は、要求QoSの各パラメータ毎にそのパラメータと決定QoSの対応するパラメータが異なる場合にその相違を許容するか否かを設定するようにし、上記通信制御手段は、上記相違を許容しないことが設定された全てのパラメータのそれぞれが決定QoSの対応するパラメータと異なるときに通信の切断を選択するように構成することができる。
【００１５】
また、請求項４に記載されるように、上記通信端末装置において、上記許容設定手段は、要求QoSの各パラメータ毎にそのパラメータと決定QoSの対応するパラメータが異なる場合にその相違を許容するか否かを設定するようにし、上記通信制御手段は、上記相違を許容しないことが設定された少なくとも１つのパラメータが決定QoSの対応するパラメータと異なるときに、通信の切断を選択するように構成することができる。
【００１６】
更に、請求項５に記載されるように、上記通信端末装置において、上記許容設定手段は、要求QoSの各パラメータ毎にそのパラメータと決定QoSの対応するパラメータが異なる場合にその相違を許容するか否かを設定するようにし上記通信制御手段は、上記相違を許容しないことが設定されたパラメータのうち特定のパラメータが決定QoSの対応するパラメータと異なるときに、通信の切断を選択するように構成することができる。
【００１７】
ネットワーク側にて決定された決定QoSをユーザが確認してから通信の継続または切断の選択がなされるという観点から本発明は、請求項６に記載されるように、上記通信端末装置において、ネットワーク側から受信した決定QoSの各パラメータを表示する表示手段を有すると共に、上記通信制御手段は、該表示手段にて上記決定QoSが表示された状態でなされた操作部の所定の操作に基づいて通信の継続または切断のユーザ意思を判定する判定手段を有し、該判定手段での判定結果に基づいて通信の継続するか切断するかのいずれかを選択するように構成することができる。
【００１８】
要求QoSの設定に際し、より簡易な方法での設定及びよりユーザの意思を反映させた方法での設定のいずれかをユーザが選択できるという観点から、本発明は、請求項７に記載されるように、上記各通信端末装置において、上記要求QoSの各パラメータを設定するための第一の設定モードと第二の設定モードとを有すると共に、該第一の設定モードと第二の設定モードを操作部の所定の操作に従って選択するモード選択手段を有し、デフォルト値に自動設定されたパラメータ以外の操作部の操作にて設定すべきパラメータの数が、第一の設定モードより第二の設定モードのほうが多くなるように構成することができる。
【００１９】
また、要求QoSの設定方法の工夫により上記課題を解決するため、本発明は、請求項８に記載されるように、所定のネットワークを介して通信を行うに際し、ユーザの要求する通信サービスの品質を表す要求QoSの各パラメータの設定が可能な通信端末において、上記要求QoSの各パラメータを設定するための第一の設定モードと第二の設定モードとを有すると共に、該第一の設定モードと第二の設定モードを操作部の所定の操作に従って選択するモード選択手段を有し、デフォルト値に自動設定されたパラメータ以外の操作部の操作にて設定すべきパラメータの数が、第一の設定モードより第二の設定モードのほうが多くなるように構成される。
【００２０】
このような通信端末装置では、設定操作の簡易性を望むユーザは、第一の設定モードにて要求QoSの設定を行うことができ、通信品質の希望を反映させることを望むユーザは、第二の設定モードにてQoSの設定を行うことができる。
【００２１】
第一の設定モードでの設定操作をより簡易にできるという観点から、本発明は、請求項９に記載されるように、上記各通信端末装置において、上記第一の設定モードでは、要求QoSの全てのパラメータがデフォルト値に自動設定されるように構成することができる。
【００２２】
また、ベストエフォート型の通信サービスの提供を望むユーザにとって、第一の設定モードでの設定操作をより簡易にできるという観点から、本発明は、請求項１０に記載されるように上記各通信端末装置において、通信装置において、上記第一の設定モードでは、要求QoSのパラメータのうち通信速度に関するパラメータが当該通信端末装置の能力最大の通信速度に自動設定されるように構成することができる。
【００２３】
【発明の実施の形態】
以下、本発明の実施の形態を図面に基づいて説明する。
【００２４】
本発明の実施の一形態に係る通信端末装置が適用される通信システムは、例えば、図１に示すように構成されている。
【００２５】
図１において、携帯電話機１０は、所定のネットワークＮＷ（例えば、ＩＰ網）に接続された基地局４０と無線通信を行い、この基地局４０を介してネットワークＮＷ内のサーバ５０からの通信サービスを受ける。携帯電話機２０に接続されたパーソナルコンピュータ２５は、携帯電話機２０の無線通信機能を利用して基地局４０を介してネットワークＮＷ内のサーバ５０からの通信サービスを受ける。また、通信機能を有するパーソナルコンピュータ３０は、ネットワークＮＷに接続され、当該ネットワークＮＷ内のサーバ５０から通信サービスを受ける。
上記のような通信システムにおいて、携帯電話機１０、携帯電話機２０とパーソナルコンピュータ２５のセット及びパーソナルコンピュータ３０は、それぞれ本発明に係る通信端末装置の一形態として構成される。以下、携帯電話機１０を例に説明する。
【００２６】
携帯電話機１０は、例えば、図２に示すように構成される。
【００２７】
図２において、この携帯電話機１０は、送受信機１１、音声インタフェース１２、処理ユニット１３、外部インタフェース１４、表示部１５及び操作部１６を有している。送受信機１１は、基地局４０と無線通信を行い、各種情報の送受信を行う。音声インターフェース１２にはスピーカ１７及びマイク１８が接続されている。音声インタフェース１２は、スピーカ１７及びマイク１８と送受信機１１との間で音声情報の符号化・復号などの処理を行う。即ち、この音声インタフェース１２は、送受信機１１にて受信された音声情報を復号してスピーカ１７に供給すべき音声信号を生成し、マイク１８からの入力音声に対応した音声信号を符号化して送受信機１１に供給すべき符号化音声情報を生成する。
【００２８】
処理ユニット１３には外部インタフェース１４、表示部１５及び操作部１６が接続されている。この処理ユニット１３は、ユーザの操作により操作部１６から発生される操作信号等に基づいて送受信機１１および音声インタフェース１２の各種制御を行うと共に、送受信機１１にて受信された各種データを表示部１５に表示させるための表示制御を行う。また、外部インタフェース１４には外部装置、例えば、パーソナルコンピュータを接続すことができ、処理ユニット１３は、この外部インタフェース１４を介して外部装置と相互にデータの送受信を行うことができる。
【００２９】
また、処理ユニット１３は、操作部１６からの操作信号に基づいて要求QoSの設定処理を行い、その設定処理にて得られた要求QoSを送受信機１１から送信するための制御を行う。ユーザは、操作部１６を用いて、要求QoSとネットワーク側にて決定された決定QoSとが異なる場合にユーザがそれを許容するか否かを設定することができる（許容QoS設定処理）。処理ユニット１３は、上記設定処理にて得られた要求QoSと決定QoS、及びそれらが異なることを許容するか否かの情報に基づいて送受信機１１による通信の継続、切断の制御を行う。
【００３０】
なお、上記のようにユーザは、操作部１６を用いて要求QoSの設定、決定QoSを許容するか否かの設定、更に後述するような種々の情報の入力が可能であるが、、外部インタフェース１４を介して接続されたパーソナルコンピュータの操作にて各種情報を入力することもできる。
【００３１】
携帯電話機１０が通信サービスを受ける際に設定されるべきQoSの各パラメータは、例えば、次のように定められている。
【００３２】
（１）トラフィッククラス
これは、なされる通信サービスの種類が、ベストエフォート型の通信サービスか、帯域保証型の通信サービスのいずれであるかを表す。
【００３３】
（２）最大ビットレート（上り）
これは、通信端末装置からネットワーク側へのパケット最大転送速度を表す。
（３）最大ビットレート（下り）
これは、ネットワーク側から通信端末装置へのパケット最大転送速度を表す。
（４）転送順序
これは、送信したパケットが受信側で順序通りに受信できるか否かを表す。
【００３４】
（５）最大パケットサイズ
これは、転送する１パケットの最大パケットサイズを表す。
【００３５】
（６）パケット誤り率
これは、送信したパケットが受信側で誤りとして検出される確率を表す。
【００３６】
（７）残存誤り率
これは、エラー訂正をした後に、誤りデータが残っている確率を表す。
【００３７】
（８）誤りパケットの転送
これは、誤りパケットを転送するか否かを表す。
【００３８】
（９）パケット優先度
これは、パケットに優先度を持たせるための情報を表す。
【００３９】
この携帯電話機１０は、上記のようなQoSの各パラメータの値を設定するための操作モードを２つ有している。その一つは、簡易設定モードであり、他の一つは詳細設定モードである。簡易設定モードは、多くのパラメータがデフォルト設定されており、詳細設定モードに比べてユーザが実際に操作部１６を操作して設定することのできるQoSのパラメータの数が少ない。そのため、簡易設定モードでは、より簡単な操作にてQoSの各パラメータを設定することが可能となる。詳細設定モードは、簡易設定モードに比べてユーザが実際に操作して設定可能となるQoSのパラメータの数が多く、ユーザが希望する値をより多くのパラメータに対して設定することができる。この例では、後述するように、簡易設定モードではユーザ操作によって設定可能なパラメータの数はゼロ（全て自動設定）であり、詳細設定モードではユーザ操作によって設定可能なパラメータの数は２である。
【００４０】
ユーザが操作部１６にて上記２つのモードのいずれかの選択操作を行うと、処理ユニット１３は、例えば、図３に示す手順に従って処理を開始する。
【００４１】
まず、ユーザは操作部１６を用いて上記２つのモードのいずれかの選択操作を行う。処理ユニット１３はこの選択操作にて起動され（Ｓ０）、その選択されたモードが簡易設定モードであるか詳細設定モードであるかを判定する（Ｓ１）。簡易設定モードが選択されている場合（Ｓ１で簡易）、処理ユニット１３は、簡易QoS設定処理を実行する（Ｓ２）。
【００４２】
処理ユニット１３は、図４に示すようなテーブルを用いて、QoSの各パラメータについて、ユーザによる設定の可否、デフォルト値、設定可能な値を管理している。上記簡易QoS設定処理では、全てのパラメータに対してユーザ操作による手動設定を行うことができず（設定可否→否）、全てのパラメータに対してデフォルト値が予め設定されている。
【００４３】
この各パラメータのデフォルト値は次のようになる。
【００４４】
「トラフィッククラス」はベストエフォート型であり、上りと下りの「最大ビットレート」は当該携帯電話機１１の最大能力であり、「転送順序」は順序通りであり、「最大パケットサイズ」は１５０２バイトであり、「パケット誤り率」、「残存誤り率」及び「パケット優先度」はネットワークに従うであり、また、「誤りパケットの転送」は転送しない（ＮＯ）である。
【００４５】
一方、詳細設定モードが選択されている場合（Ｓ１で詳細）、処理ユニット１３は、詳細QoS設定処理を実行する（Ｓ３）。
【００４６】
この詳細QoS設定処理では、図５に示すように、予め定めたデフォルト値を有する要求QoSの各パラメータのうち、上りと下りの最大ビットレートについてユーザの操作に基づいた値が設定される（設定可否→可）。上記上りと下りの最大ビットレートについては、例えば、デフォルト値として６４ｋｂｉｔ／ｓｅｃ．の転送速度が設定されると共に、操作部１６の操作により、１２８ｋｂｉｔ／ｓｅｃ．及び３８４ｋｂｉｔ／ｓｅｃ．のいずれの転送速度への変更も可能となる。  上記のようにして、簡易設定モードまたは、詳細設定モードのいずれかのモードにて、ユーザの希望する要求QoSの設定が終了すると、処理ユニット１３は、上記のように設定した要求QoSの各パラメータの値と、ネットワークにて決定された決定QoSの対応するパラメータの値とが異なる場合に、それを許容するか否かを設定するための許容QoS設定処理を行う（Ｓ４）。処理ユニット１３は、図６に示すようなテーブルを用いて、要求QoSの各パラメータについて、決定QoSの対応するパラメータの値と異なる場合にそれを許容（全許容）するか否か（全切断）を管理する。各パラメータについて、ユーザによる設定の可否、デフォルト値、ユーザによる設定可能なパラメータについてその設定可能な値が定められている。この許容QoS設定処理では、QoSの各パラメータのうち、上りと下りの最大ビットレートについてユーザの操作に基づいた値（全許容、全切断）が設定され（設定可否→可）、他のパラメータについてはユーザ操作によって設定することができず（設定可否→否）、デフォルト値が予め設定される。上記上りと下りの最大ビットレートについては、デフォルト値として決定QoSと異なることを許容すること（全許容）が設定されると共に、ユーザの操作部１６の操作により、決定QoSと異なることを許容しないこと（全切断）への変更が可能となる。
【００４７】
ユーザによる設定ができない他のパラメータのデフォルト値は、「トラフィッククラス」、「転送順序」、「パケット誤り率」、「残存誤り率」、「誤りパケット転送」、「パケット優先度」が全許容、「最大パケットサイズ」が全切断となるように設定されている。
【００４８】
上記のようにして許容QoS設定処理が終了すると、処理ユニット１３は、通信開始要求の待ち状態となる（Ｓ５）。ここで、ユーザが操作部１６にて通信開始操作を行うと（Ｓ５でＹＥＳ）、上記のようにして設定された要求QoSが処理ユニット１３での制御のもとに送受信機１１から送信され（Ｓ６）、その後、処理ユニット１３はネットワークＮＷ内のサーバ５０からの決定QoSの受信待ち状態になる（Ｓ７）。
【００４９】
上記のようにして携帯電話機１０から送信される要求QoSを受信したサーバ５０は、この要求QoSやネットワークの状態等を考慮して、QoSの各パラメータの値を決定する。そして、その決定されたQoSの各パラメータが決定QoSとしてサーバ５０から携帯電話機１０に送信される。
【００５０】
上記のように決定QoSの待ち状態にある（Ｓ７）携帯電話機１０がネットワークＮＷ内のサーバ５０から送信される決定QoSを受信すると（Ｓ７でＹＥＳ）、処理ユニット１３は、上記のようにして設定された要求QoSとネットワーク側から受信された決定QoSが同じか否かを判定する（Ｓ８）。要求QoSと決定QoSの各パラメータが同じであれば（Ｓ８でＹＥＳ）、処理ユニット１３は、サーバ５０との決定QoSに従った通信が継続されるように送受信機１１を制御する（Ｓ１０）。
【００５１】
一方、上記要求QoSと決定QoSが異なる場合（Ｓ８でＮＯ）、許容QoS判定処理が行われる（Ｓ９）。この許容QoS判定処理では、上述した許容QoS設定処理にて設定された要求QoSの各パラメータについての決定QoSとの相違を許容するか否か（全許容、全切断：図６参照）の情報に基づいて、携帯電話機１０とネットワークＮＷ内のサーバ５０との間の通信を継続させるか、切断するかの判定を行う。
【００５２】
例えば、その相違を許容しない（全切断）ことが設定された全てのパラメータ（例えば、図６に示す例において、ユーザにより変更された上り下りの最大ビットレートと最大パケットサイズ参照）が決定QoSの対応するパラメータと異なるときに、通信を切断すべきであると判定される。また、その相違を許容しない（全切断）ことが設定された少なくとも１つのパラメータが決定QoSの対応するパラメータと異なるときに、通信を切断すべきであると判定するようにしてもよい。更に、その相違を許容しない（全切断）ことが設定されたパラメータのうち予め定めた特定のパラメータ（例えば、転送速度）が決定QoSの対応するパラメータと異なるときに、通信を切断すべきであると判定するようにしてもよい。
【００５３】
処理ユニット１３は、上記判定結果に基づいて、送受信機１１によるネットワークＮＷ内のサーバ５０との通信の継続（Ｓ１０）、通信の切断（Ｓ１１）の制御を行う。
【００５４】
上記のような携帯電話機１０によれば、ユーザが設定した要求QoSがネットワーク側にて決定された決定QoSとが異なる場合に、ユーザ操作に基づく許容QoS設定処理にて設定されたそれらの相違を許容するか否かの情報に基づいて通信の継続、切断が制御されるようになる。このため、要求QoSと決定QoSが異なる場合に、よりユーザの意思を反映した通信の継続、切断制御を行うことができるようになる。
【００５５】
上記例では、ユーザ操作によって要求QoSと決定QoSとの相違を許容するか否かの情報を設定するようにしたが、そのような設定を行わずに、受信した決定QoSを許容するか否かをユーザが直接指示するようにすることもできる。
【００５６】
この場合、処理ユニット１３は、図７に示すような手順に従って処理を実行する。
【００５７】
図７において、図３に示す例と同様に、簡易設定モードまたは詳細設定モードのいずれかのモードにて要求QoSの設定（Ｓ０、Ｓ１、Ｓ２、Ｓ３）が終了した後、処理ユニット１３は、許容QoS設定処理（図３におけるＳ４）を行うことなく、通信開始要求の待ち状態になる（Ｓ５）。そして、ユーザによって通信開始操作がなされ、開始要求がなされたと判定されると（Ｓ５でＹＥＳ）、図３に示す例と同様に、処理ユニット１３は、設定した要求QoSの送信制御（Ｓ６）を行った後にネットワークＮＷ側からの決定QoSの受信待ち状態となる（Ｓ７）。
【００５８】
ここで、決定QoSを受信すると、要求QoSと受信した決定QoSが同じであるか否かの判定が行われる（Ｓ８）。それらが同じであれば、決定QoSに基づいてネットワークＮＷ内のサーバ５０のの通信が継続される（Ｓ１０）が、それらが同じでない場合に、受信した決定QoSの各パラメータが表示部１５に表示される（Ｓ２１）。そして、処理ユニット１３は、ユーザ操作の入力待ち状態となる（Ｓ２２）。このような状態において、ユーザは、表示部１５に表示された決定QoSの各パラメータを見て、要求QoSと異なる決定QoSに従った通信でも継続することを希望する場合には、操作部１６を使用して許容（通信継続）のための操作を行う。一方、要求QoSと異なる決定QoSに従った通信の継続を希望しない場合には、操作部１６を用いて拒否（通信切断）のための操作を行う。
【００５９】
処理ユニット１３は、ユーザによる上記のような操作入力があると（Ｓ２２でＹＥＳ）、その操作が決定QoSを許容するものか否かを判定する（Ｓ２３）。そして、その操作が決定QoSを許容するものであれば、その受信した決定QoSに従った通信を継続させる（Ｓ１０）。一方、その操作が決定QoSを許容するものでないもの（拒否）であれば、通信を切断する（Ｓ１１）。
【００６０】
上記のような例によれば、要求QoSと決定QoSが異なる場合、ユーザ操作による指示に従って通信の継続及び切断が制御される。このため、要求QoSと決定QoSが異なる場合に、よりユーザの意思を反映した通信の継続、切断制御を行うことができるようになる。
【００６１】
上記各例において、図３に示すＳ９、Ｓ１０、Ｓ１１での処理が通信制御手段に対応し、図７に示すＳ２３、Ｓ１０、Ｓ１１での処理が通信制御手段に対応する。図３に示すＳ４での処理が許容設定手段に対応する。また、図７に示すＳ２１での処理が表示手段に対応し、図７に示すＳ２２、Ｓ２３での処理が判定手段に対応する。
【００６２】
更に、簡易設定モードが第一の設定モードに対応し、詳細設定モードが第二の設定モードに対応する。操作部１６がモード選択手段に対応する。
【００６３】
【発明の効果】
以上、説明してきたように、請求項１乃至７記載の本願発明によれば、通信端末装置にて設定された要求QoSとネットワーク側にて決定された決定QoSが異なる場合に、ユーザの意思に基づいて通信の継続または切断が選択される。従って、要求QoSと決定QoSとが異なる場合に、例えば、ネットワーク側から情報を得ることを優先させたいユーザに対しては通信を継続させることができ、また、あくまでも要求QoSでの通信を希望するユーザに対しては通信を切断することができる。その結果、ユーザの希望にできるだけ合った品質での通信サービスを受けることができるようになる。
【００６４】
また、請求項８乃至１０記載の本願発明によれば、設定操作の簡易性を望むユーザは、第一の設定モードにて要求QoSの設定を行うことができ、通信品質の希望を反映させることを望むユーザは、第二の設定モードにてQoSの設定を行うことができる。そのため、設定の簡易性を保持しつつ、ユーザの希望にできるだけ合った品質での通信サービスを受けることができるようになる。
【図面の簡単な説明】
【図１】本発明の実施の一形態に係る通信端末装置が適用される通信システムの構成例を示す図である。
【図２】本発明の実施の一形態に係る通信端末装置の構成例を示すブロック図である。
【図３】図２に示す通信端末装置における処理ユニットでの処理手順の第一の例を示すフローチャートである。
【図４】簡易操作モードにて設定される要求QoSを管理するためのテーブルの一例を示す図である。
【図５】詳細操作モードにて設定される要求QoSを管理するためのテーブルの一例を示す図である。
【図６】要求QoSと決定QoSとが異なる場合に、その相違を許容するか否かを管理するためのテーブルの一例を示す図である。
【図７】図２に示す通信端末装置における処理ユニットでの処理手順の第二の例を示すフローチャートである。
【符号の説明】
１０  携帯電話機
１１  送受信機
１２  音声インタフェース
１３  処理ユニット
１４  外部インタフェース
１５  表示部
１６  操作部
２０  携帯電話機
２５、３０  パーソナルコンピュータ
４０  基地局
５０  サーバ
【図１】
0003717756.tif 000002
【図２】
0003717756.tif 000003
【図３】
0003717756.tif 000004
【図４】
0003717756.tif 000005
【図５】
0003717756.tif 000006
【図６】
0003717756.tif 000007
【図７】
0003717756.tif 000008